【事件の表示】
特許第２６２２２３８号「施肥装置」の特許に対する特許異議の申立てについて、次のとおり決定する。
【結論】
訂正を認める。
　特許第２６２２２３８号の特許を維持する。
【理由】
１．手続の経緯
　本件特許第２６２２２３８号は、昭和６３年４月１８日に出願された特願昭６３−９４９８１号を特許法第４４条第１項の規定により二以上の発明を包含する特許出願の一部を新たな出願とした特願平６−３２６６９０号に係り、平成９年４月４日に設定登録がなされ、その後、特許異議の申立てが、ヤンマー農機株式会社（以下、申立人という。）よりなされ、当審において取消理由がなされ、その指定期間内に訂正請求がなされ、さらに、当審において訂正拒絶理由が通知されたところ、その指定期間内に訂正拒絶理由に対する手続補正書が提出されたものである。
２．訂正の適否のついての判断
（２−１）訂正請求に対する補正の適否について
　特許権者は、訂正明細書をつぎのように補正しようとするものである。
（２−１−１）訂正明細書の【特許請求の範囲】の第５行の「選別網体（１６）、及び、この選別網体（１６）からの」を次のように補正する。
『選別網体（１６）を落下案内具（１８）に内装し、この落下案内具（１８）に、前記選別網体（１６）から』
（２−１−２）訂正明細書の段落【０００４】の第５〜６行の「選別網体、及び、この選別網体からの」を次のように補正する。
『選別網体を落下案内具に内装し、この落下案内具に、前記選別網体から』
（２−１−３）訂正明細書中の【特許請求の範囲】の第６〜７行の「前記選別網体（１６）を・・・透明樹脂製に」を次のように補正する。
『前記選別網体（１６）よりも上方側位置の落下案内具（１８）を透明樹脂製に構成するとともに、前記容器（１７）を透明樹脂製に』
（２−１−４）訂正明細書中の段落【０００４】の第７行の「前記選別網体を・・・透明樹脂製に」を次のように補正する。
『前記選別網体よりも上方側位置の落下案内具を透明樹脂製に構成するとともに、前記容器を透明樹脂製に』
（２−１−５）訂正明細書中の段落【０００９】の第５行の「粉状肥料」を『粒状肥料』と補正する。
　上記補正（２−１−１）〜（２−１−５）は、訂正請求書の要旨を変更するものでなく、特許法第１２０条の４第３項において準用する同法第１３１条第２項の規定に適合する。
（２−２）訂正の内容
　本件訂正の趣旨は、本件特許の明細書を手続補正書により補正された訂正請求書に添付した訂正明細書のとおり訂正することを求めるにあり、その訂正の要旨は、前記手続補正書により補正された前記訂正請求書の「７．請求の理由」の「（２）訂正事項」の項に記載されたとおりであり、次のように訂正しようとするものである。
（２−２−１）本件明細書の【特許請求の範囲】の【請求項１】（特許公報第１欄第５行）の「の繰出し肥料を受けて」を、『繰り出されて落下してくる繰出し肥料を受止めて』に訂正する。
（２−２−２）本件明細書の【０００４】（特許公報第３欄第１０行）の「の繰出し肥料を受けて」を、『繰り出されて落下してくる繰出し肥料を受止めて』に訂正する。
（２−２−３）本件明細書の【特許請求の範囲】の【請求項１】（特許公報第１欄第７〜８行）の「選別網体（１６）、及び、この選別網体（１６）からの」を『選別網体（１６）を落下案内具（１８）に内装し、この落下案内具（１８）に、前記選別網体（１６）から』に訂正する。
（２−２−４）本件明細書の【０００４】（特許公報第３欄第１２行）の「選別網体、及び、この選別網体からの」を、「選別網体を落下案内具に内装し、この落下案内具に、前記選別網体から』に訂正する。
（２−２−５）本件明細書の【特許請求の範囲】の【請求項１】（特許公報第１欄第９〜１０行）の「前記選別網体（１６）を…透明樹脂製に」を、『前記選別網体（１６）よりも上方側位置の落下案内具（１８）を透明樹脂製に構成するとともに、前記容器（１７）を透明樹脂製に』に訂正する。
（２−２−６）本件明細書の【０００４】（特許公報第３欄第１３〜１４行）の「前記選別網体を…透明樹脂製に」を、『前記選別網体よりも上方側位置の落下案内具を透明樹脂製に構成するとともに、前記容器を透明樹脂製に』に訂正する。
（２−２−７）本件明細書の【０００９】（特許公報第４欄第１０行）の「粉状肥料」を、『粒状肥料』と訂正する。
（２−３）訂正の目的の適否、新規事項の有無及び拡張、変更の存否
　本件の特許請求の範囲を上記（２−２−１）、（２−２−３）−（２−２−５）の構成とすることは、願書に添付した明細書又は図面に記載された事項の範囲内において、特許請求の範囲を減縮することに相当し、発明の詳細な説明の欄を上記（２ー２−２）、（２−２−４）、（２−２−５）のように訂正することは、願書に添付した明細書又は図面に記載された事項の範囲内において、前記のように特許請求の範囲の記載を訂正することにより不明りょうとなった記載を釈明することに相当し、発明の詳細な説明の欄を（２−２−７）のように訂正することは、誤記の訂正に相当する。
　また、本件訂正において、特許請求の範囲の記載及び発明の詳細な説明の欄の記載を前記のように訂正することは、実質上、特許請求の範囲を拡張し、又は、変更するものとは認められない。
（２−４）独立特許要件
　訂正された特許請求の範囲の請求項１に記載された事項を構成とする発明（以下、本件発明という。）は、下記「（２−４−２）取消理由通知について」において述べるように、本件発明がその出願前に頒布された上記刊行物１〜３記載の発明に基づいて当業者が容易に発明できたものではなく、本件発明を本件特許出願の際独立して特許を受けることができないものとすることはできない。
　さらに、他に、本件発明が、本件出願の際独立して特許を受けることができないとする理由及び証拠を発見しない。
（２−４−１）本件発明
　本件発明は、平成１１年５月１０日付け手続補正書（訂正請求書）に添付の明細書の【特許請求の範囲】の【請求項１】に記載された事項により特定される次のとおりのものである。
『粒状肥料を肥料タンク（６）から設定量ずつ繰出して作溝器（１０）に落下供給する繰出し装置（７）を設けた施肥装置であって、
　前記繰出し装置（７）から繰り出されて落下してくる繰出し肥料を受止めてこれに含まれる粉肥料を漏下させると共に粒状肥料を作溝器（１０）側に案内落下させる選別網体（１６）を落下案内具（１８）に内装し、この落下案内具（１８）に、前記選別網体（１６）から漏下した粉肥料を受止め貯留する容器（１７）を設け、
　かつ、前記選別網体（１６）よりも上方側位置の落下案内具（１８）を透明樹脂製に構成するとともに、前記容器（１７）を透明樹脂製に構成してあることを特徴とする施肥装置。』
（２−４−２）取消理由通知について
　当審が通知した前記取消理由は、本件発明が本件出願前に頒布された下記刊行物１〜３に記載された発明の基づいて当業者が容易に発明をすることができたものであるから、本件特許が特許法第２９条第２項の規定に違反してされたというものである。
　　　　　　　　　記
刊行物１：実願昭６０−１４０８２７号（実開昭６２−４９９０９号）のマイクロフイルム（甲第１号証）
刊行物２：実願昭５８−１４０３５９号（実開昭６０−４６８１９号）のマイクロフィルム
刊行物３：実願昭５５−１４４２４号（実開昭５６−１１７６３３号）のマイクロフィルム
　刊行物１には、
「粒状肥料を肥料タンク（粒状体貯留ホッパー１）から設定量ずつ繰出して作溝器（７）に落下供給する繰出し装置（粒状体繰出しロール４）を設けた施肥装置であって、
　前記繰出し装置からの粒状体を、受面（１０ａ）を介して間接的に受け止めて、これに含まれる粉肥料を漏下させると共に粒状肥料を作溝器側に案内落下させる選別網体（粉選別取出し用濾過部Ｂ）、及び、この選別網体からの漏下した粉肥料を受止め貯留する容器（粉貯留用ケース１２）を設けると共に、
　前記選別網体を内装した落下案内具（粒状体案内具Ａ）を設けた施肥装置」
が記載されている。
　刊行物２には、
「粒状肥料を肥料タンク（ホッパ１１）から設定量ずつ繰出して作溝器（作溝体７）に落下供給する繰出し装置（繰出しロール１５）を設けた施肥装置であって、繰出しロールの側面まで延びた落下案内具（シュータ２１）を透明樹脂製に構成してあることを特徴とする施肥装置」が記載され、さらに、「．．．．．運転者は繰出ロ−ルの状況、シュータ内の種子の落下状況を確実に目視でき、欠粒、繰出しロールの詰まり等を早期に発見することが可能となる。」（同明細書第１０頁第４〜７行）と記載されている。
　刊行物３には、コンバインにおいて、１番コンベア（１）および２番コンベア（２）の上方にのぞむ機壁（３）の部分には、のぞき窓（４）（５）を設け、そこに透明板（３３）を設けた点が記載され、さらに、「．．．．．両投入口（４）（５）より透視して１番コンベア（１）および２番コンベア（２）の部分を点検することができる。」（同明細書第４頁第１０〜１１行）と記載されている。
　本件発明と上記刊行物１記載の発明とを対比すると、本件発明が、少なくとも、（ａ）「前記繰出し装置（７）から繰り出されて落下してくる繰出し肥料を受止めてこれに含まれる粉肥料を漏下させると共に粒状肥料を作溝器（１０）側に案内落下させる選別網体（１６）を落下案内具（１８）に内装し、この落下案内具（１８）に、前記選別網体（１６）から漏下した粉肥料を受止め貯留する容器（１７）を設け、かつ、前記選別網体（１６）よりも上方側位置の落下案内具（１８）を透明樹脂製に構成するとともに、前記容器（１７）を透明樹脂製に構成」したのに対し、上記刊行物１記載の発明がこのような構成を有しない点で相違する。
　上記相違点（ａ）に関し、刊行物２，３を検討すると、刊行物２には、繰出しロールの側面まで延びた落下案内具（シュータ２１）を透明樹脂製に構成してあることを特徴とする施肥装置が記載され、繰出しロールの詰まり等を早期に発見できることが記載されており、刊行物３には、コンバインにおいて、１番コンベア（１）および２番コンベア（２）の上方にのぞむ機壁（３）の部分には、のぞき窓（４）（５）を設け、そこに透明板（３３）を設けた点が記載され、のぞき窓（４）（５）より透視して１番コンベア（１）および２番コンベア（２）の部分を点検することができることが記載されているが、これら刊行物２，３には、選別網体の上側と下側とに透明部分を設けることについては記載されておらず、これら刊行物２，３には、本件発明のように、繰出し装置の下方に選別網体を設け、該選別網体の上側と下側とに透明部分を設けて、選別網体の透過状況を視認しやすくすることについては、記載されていない。
　したがって、刊行物１記載の発明に、刊行物２，３記載の発明を適用したとしても、本件発明の構成にはなりえず、本件発明が刊行物１〜３記載の発明に基づいて当業者が容易に発明することができたものとは認められない。
　本件発明は、「選別網体の上側と下側とに透明部分を設けて、選別網体の透過状況を視認し易くする。」という格別の効果を奏する。
　よって、本件発明が刊行物１〜３に記載された発明に基づいて当業者が容易に発明をすることができたものではなく、本件特許が特許法第２９条第２項の規定に違反してなされたということはできない。
（２−５）むすび
　以上のとおりであるから、本件訂正請求は、平成６年法律第１１６号附則第６条第１項の規定によりなお従前の例によるとされる、特許法１２０条の４第２項、同条第３項の規定により準用する第１２６条第２〜４項の訂正に関する規定に適合するので、当該訂正は認められる。
５．特許異議の申立てについて
　訂正前の本件発明は、本件出願前に頒布された下記甲第１号証〜甲第２号証の６記載の発明に基づいて当業者が容易に発明をすることができたものであり、本件特許は特許法第２９条第２項の規定に違反してされたというものである。
　　　　　　　　　　記
甲第１号証：実願昭６０−１４０８２７号（実開昭６２−４９９０９号）のマイクロフイルム
甲第２号証の１：特開昭６０−９８９０７号公報
甲第２号証の２：特開昭６２−２６２９０５号公報
甲第２号証の３：実願昭５２−１５２０３７号（実開昭５４−７８６１６号）のマイクロフイルム
甲第２号証の４：特開昭６１−２４９３０９号公報
甲第２号証の５：実願昭５７−１２５６２６号（実開昭５９−２９１１７号）のマイクロフィルム
甲第２号証の６：実願昭５８−７６６６３号（実開昭５９−１７９５２１号）のマイクロフィルム
　甲第１号証には、上記刊行物１記載のとおりの発明が記載されている。
　甲第２号証の１には、肥料を収納する透明状の合成樹脂製ホッパ−３０と、繰出装置３１と、土壌表面を作溝する作溝器３３等からなる施肥装置が記載されている。
　甲第２号証の２には、粒状肥料を貯留する透明な樹脂で製作したホッパー１０と、繰出し機構１１と、作溝器１３等からなる施肥装置が記載されている。
　甲第２号証の３には、繰出ロ−ル１３を収納する匡体１０の作業者と対向する側面の一部又は全部を透明板で形成した種子繰出装置が記載されている。
　甲第２号証の４には、繰出された肥料の詰まりによって溢出される溢出口３を設けると共に、溢出口３から出る肥料を受けて操縦席４から監視しうる透明体からなる受桶５を設けてなる施肥装置が記載されている。
　甲第２号証の５には、施肥繰出し部１６に施肥部の覗窓を設けた湛水土壌複合作業機が記載されている。
　甲第２号証の６には、施肥パイプ２４の座席８側方を通過する部分を少なくとも透明パイプに構成した施肥装置が記載されている。
　本件発明と上記甲号各証記載の発明とを対比すると、本件発明が、少なくとも、（ａ）「前記繰出し装置（７）から繰り出されて落下してくる繰出し肥料を受止めてこれに含まれる粉肥料を漏下させると共に粒状肥料を作溝器（１０）側に案内落下させる選別網体（１６）を落下案内具（１８）に内装し、この落下案内具（１８）に、前記選別網体（１６）から漏下した粉肥料を受止め貯留する容器（１７）を設け、かつ、前記選別網体（１６）よりも上方側位置の落下案内具（１８）を透明樹脂製に構成するとともに、前記容器（１７）を透明樹脂製に構成」した点、すなわち、「選別網体の上側と下側とに透明部分を設けた」構成を有するのに対して、上記甲号各証記載の発明は上記構成（ａ）を有しておらず、また、上記構成（ａ）が上記甲号各証記載の構成に基づいて当業者が容易に推考できたものとも認められない。
　本件発明は、「選別網体の上側と下側とに透明部分を設けて、選別網体の透過状況を視認し易くする。」という格別の効果を奏する。
　したがって、本件発明が上記甲第１号証〜甲第２号証の６記載の発明に基づいて容易に発明できたものとは認められず、本件特許が特許法第２９条第２項の規定に違反してなされたということはできない。
６．むすび
　以上のことから、申立人の申し立ての理由及び提出した証拠方法によっては、本件特許を取り消すことができない。
　また、他に本件特許を取り消すべき理由を発見しない。
　よって、結論のとおり決定する。
【異議決定日】
平成１１年６月１６日（１９９９．６．１６）
【訂正の要旨】
（１）本件明細書の【特許請求の範囲】の【請求項１】（特許公報第１欄第５行）の「の繰出し肥料を受けて」を、『繰り出されて落下してくる繰出し肥料を受止めて』に訂正する。
（２）本件明細書の【０００４】（特許公報第３欄第１０行）の「の繰出し肥料を受けて」を、『繰り出されて落下してくる繰出し肥料を受止めて』に訂正する。
（３）本件明細書の【特許請求の範囲】の【請求項１】（特許公報第１欄第７〜８行）の「選別網体（１６）、及び、この選別網体（１６）からの」を『選別網体（１６）を落下案内具（１８）に内装し、この落下案内具（１８）に、前記選別網体（１６）から』に訂正する。
（４）本件明細書の【０００４】（特許公報第３欄第１２行）の「選別網体、及び、この選別網体からの」を、『選別網体を落下案内具に内装し、この落下案内具に、前記選別網体から』に訂正する。
（５）本件明細書の【特許請求の範囲】の【請求項１】（特許公報第１欄第９〜１０行）の「前記選別網体（１６）を…透明樹脂製に」を、『前記選別網体（１６）よりも上方側位置の落下案内具（１８）を透明樹脂製に構成するとともに、前記容器（１７）を透明樹脂製に』に訂正する。
（６）本件明細書の【０００４】（特許公報第３欄第１３〜１４行）の「前記選別網体を…透明樹脂製に」を、『前記選別網体よりも上方側位置の落下案内具を透明樹脂製に構成するとともに、前記容器を透明樹脂製に』に訂正する。
（７）本件明細書の【０００９】（特許公報第４欄第１０行）の「粉状肥料」を、『粒状肥料』と訂正する。
（５４）【発明の名称】
施肥装置
（５７）【特許請求の範囲】
　【請求項１】　粒状肥料を肥料タンク（６）から設定量ずつ繰出して作溝器（１０）に落下供給する繰出し装置（７）を設けた施肥装置であって、
　前記繰出し装置（７）から
繰り出されて落下してくる繰出し肥料を受止めて
選別網体（１６）を落下案内具（１８）に内装し、この落下案内具（１８）に、前記
　
かつ、前記選別網体（１６）よりも上方側位置の落下案内具（１８）を透明樹脂製に構成するとともに、前記容器（１７）を透明樹脂製に
【発明の詳細な説明】
　【０００１】
　　【産業上の利用分野】
　本発明は、粒状肥料を肥料タンクから設定量ずつ繰出して作溝器に落下供給する繰出し装置を設けた施肥装置に関する。
　【０００２】
　　【従来の技術】
　粒状肥料には破砕されて粉状になった肥料が含まれており、この粉肥料が作溝器の内壁等に付着して詰まりの原因になりやすいものである。そこで、この粉肥料を作溝器に至るまでに予め除去することが考えられ、例えば実開昭６２−４９９０９号公報に示されるように、繰出しロールによって定量づつ繰出された肥料を流下案内する傾斜流路の途中に網状の濾過部を設けて、流下する粒状肥料に混在する粉肥料を濾過して容器に回収する手段、等が提案されている。
　【０００３】
　　【発明が解決しようとする課題】
　上記提案構成によると、繰り出されて流下する肥料が網状の濾過部に作用するので、粉肥料を効率よく除去できるのであるが、濾過部に目詰まりが生じると粉肥料が濾過部を通過してしまい、流下先の内壁等に詰まるおそれがあった。
　本発明は、濾過部での目詰まりを容易に認識できるようにすることで、早期に清掃等の処置を行えるようにすることを目的とするものである。
　【０００４】
　　【課題を解決するための手段】
　本発明の特徴構成は、粒状肥料を肥料タンクから設定量ずつ繰出して作溝器に落下供給する繰出し装置を設けた施肥装置であって、前記繰出し装置から
繰り出されて落下してくる繰出し肥料を受止めて
選別網体を落下案内具に内装し、この落下案内具に、前記
かつ、前記選別網体よりも上方側位置の落下案内具を透明樹脂製に構成するとともに、前記容器を透明樹脂製に
　【０００５】
　　【作用】
　繰出し装置から設定量ずつ繰出され、少量でかつ流れが大である状態の肥料に選別網体が作用して、粉肥料を選別して容器に漏下させる。
　選別網体を内装した落下案内具が透明樹脂製であるので、外部から選別網体を透視することができ、適時監視することで、選別網体の目詰まりを早期のうちに認識して清掃等の処置を施すことができる。
　【０００６】
　　【発明の効果】
　本発明によれば、選別網体を落下案内具の外部から容易に監視して、目詰まりのない適切な状態で使用することができるようになった。
　【０００７】
　　【実施例】
　次に実施例を示す。
　図５及び図６に示すように、伝動ケース製の植付装置機体１に回転駆動される植付ロータ２を介して、同一条に交互に苗植付けする状態に駆動されるように一対の植付アーム３，３を取付けると共に、苗のせ台４及び接地フロート５を付設し、そして、肥料タンク６を有した施肥装置を備えさせて、乗用型田植機用の施肥装置付き苗植付装置を構成してある。
　【０００８】
　施肥装置は図５及び図６に示す如く構成してある。
　すなわち、肥料タンク６に連設の繰出し装置７に粉肥料選別回収装置８及び肥料供給ホース９を介して接続した作溝器１０を接地フロート５に取付けると共に、繰出し装置７の繰出しロール１１を連動機構１２を介して植付アーム３により往復回動駆動されるように構成することにより、繰出し装置（７）が植付アーム３の苗植え運動に連動して、粒状肥料を肥料タンク６から繰出しロール１１の繰出し凹部１１ａの容積で定まる設定量ずつ取出し、粉肥料選別回収装置８、肥料供給ホース９を介して作溝器１０に落下供給するようにしてある。そして、作溝器１０が機体進行のために溝切り板１３による作成溝を拡巾する状態で圃場に溝を作成すると共に、作成溝の植付苗付近に位置する箇所に肥料を落下供給し、接地フロート５の底面に取付ボルト孔の長孔形状のために機体横方向に位置調節できるように取付けてある覆土板１４により作溝器１０による作成溝に土寄せをして肥料供給後の溝の埋め戻しをするようにしてある。
　【０００９】
　粉肥料別回収装置８を構成するに、図１ないし図３に示すように、繰出し装置７からの繰出し物に作用する樹脂製の流下案内具１５、繰出し装置７からの繰出し肥料に作用してそれを粉肥料と粒状肥料とに選別する選別網体１６、この選別網体１６が選別した粉肥料を回収するための透明樹脂製の容器１７、選別網体１６が選別した
粒状肥料
　【００１０】
　すなわち、流下案内具１５が前側傾斜案内面１５ａ、後側傾斜案内面１５ｂ及び横側傾斜案内面１５ｃをして、繰出しロール１１からの肥料の全てを選別網体１６の上端側に流下案内するようにしてある。そして、選別網体１６が流下案内具１５からの肥料のうち、網目の大きさによって定まる設定値より小粒に粉体化している粉肥料を網目から漏下させ、前記設定値以上の大粒にある粒状肥料を選別網体１６の横下り傾斜のために作溝器側に案内落下させるようにしてある。そして、容器１７が選別網体１６の下面側に受入口を望ませており、選別網体１６からの漏下粉肥料を受止め貯留するようにしてある。そして、落下案内具１８は本体と内装の流下案内板１９とにより、選別網体１６からの粒状肥料を第１ロート部１８ａに落下させることによってこの第１ロート部１８ａに接続してある肥料供給ホース９に落下供給するようにしてある。なお、前記落下案内具１８を透明樹脂製にしてあるので、選別網体１６を外部から透視することができ、例えば選別網体１６の目詰まり状態を容易に目視することができる。
　【００１１】
　落下案内具１８に肥料取出し口２０を有した第２ロート部１８ｂを備えると共に、流下案内板１９の回転支軸２１に付設の揺動切換えレバー２２を揺動操作することにより、流下案内板１９が選別網体１６からの肥料を第１ロート部１８ａに落下させる第１状態と第２ロート部１８ｂに落下させる第２状態と切換わるように構成して、流下案内板１９の切換え操作をすることにより、肥料タンク６に残った肥料を落下案内具１８から取出し回収できるようにしてある。そして、通常時は、肥料取出し口２０をキャップ２３により閉じて、湿気侵入の防止を図るようにしてある。
　【００１２】
　図１に示すように、容器１７の受入れ口周部を落下案内具１８の容器取付部１８ｃに下方から抜外し自在に内嵌させて、前記受入れ口周部と容器取付部１８ｃとの全周にわたる接当によって容器１７の水平面方向での位置ずれを防止し、そして、容器１７の横一端側において繰出し装置７のロールケース２５に枢支軸２６を介して取付け、かつ、操作レバー３２により揺動操作するようにしてある外止めフック３０を容器１７のピン３１に外し操作自在に引掛けると共に、容器１７の横他端側を該箇所に付設の突条部１７ｂをして落下案内具１８に解除自在に係合させることにより、容器１７を取外しが可能に取付けてある。そして、選別網体１６は取外しが可能なように容器１７と落下案内具１８との挾持のみによって取付けてあり、図４に示すように、選別網体１６の取外し状態にすることによって繰出し装置７からの繰出し物の全てを容器１７に落下させ得るように構成すると共に、容器１７に貯留物量を表示のための目盛りＡを備えてある。
　【００１３】
　つまり、容器１７による回収粉肥料の取出しが可能なように容器１７の取外しを可能にしてある。また、選別網体１６に替えて板体を装着することにより繰出し装置７からの肥料の全てを第１ロート部１８ａや第２ロート部１８ｂに供給することができるようにし、さらには、選別網体１６の取外し状態にすることにより、繰出し装置７からの肥料の全てを容器１７に回収して回収量を目盛りＡにより測定し、この測定量に基づいて繰出し装置７による単位時間当り、あるいは、単位作動回数当りの繰出し量を計測できるようにしてある。
　【００１４】
〔別実施例〕
　選別網体１６を着脱する手段に替え、容器１７の受入れ口上方の肥料落下箇所に位置したり、肥料落下箇所から外れるようにスライド操作可能に常設する手段を採用してもよい。また、選別網体１６に替えてパンチングメタルや孔付樹脂板等を採用してもよいのである。
　【００１５】
　尚、特許請求の範囲の項に図面との対照を便利にするために符号を記すが、該記入により本発明は添付図面の構成に限定されるものではない。
【図面の簡単な説明】
　　【図１】
　粉肥料選別回収装置の一部切欠き後面図
　　【図２】
　粉肥料選別回収装置の一部切欠き側面図
　　【図３】
　粉肥料選別回収装置の分解斜視図
　　【図４】
　粉肥料選別回収装置の肥料取出し状態の一部切欠き側面図
　　【図５】
　苗植付装置の側面図
　　【図６】
　苗植付装置の後面図
　　【符号の説明】
　６　　　肥料タンク
　７　　　繰出し装置
　１０　　作溝器
　１７　　選別網体
　１８　　落下案内具